(57)【要約】【課題】  読取ガラス上に落下した紙粉等の掃き取り効果と、節電効果が得られる流し取り方式の自動原稿搬送装置を提供する。【解決手段】  原稿シートＤがレジストローラ対１０９まで搬送されると、原稿シートＤの先端がヒータ１１０の先端を通過するタイミングで、原稿シートＤのサイズに対応した領域範囲内のヒータ１１０のみを点灯する。原稿シートＤはサイズに対応した領域範囲内のヒータの点灯により加熱され、原稿シートＤに含まれる水分が放出されて乾燥状態となる。原稿ガラス１１５の上を移動する原稿シートＤの画像は原稿ガラス１１５の下側に固定設定された画像読取部２０の上を通過するとき読取られる。原稿シートＤが原稿ガラス１１５上を搬送されるとき紙粉が落下しても、紙粉は乾燥状態にあるため、原稿ガラス１１５に付着しにくく、搬送される原稿シートＤと共に排紙トレイ１２０に排出される。【選択図】        図２
2009194803.tif 000002
【特許請求の範囲】
【請求項１】
原稿ガラスと、原稿ガラスの下側に配置された走査光学系とを備え、前記原稿ガラス上を所定速度で搬送される原稿シート上の画像を所定の読取り位置に設定された前記走査光学系で読み取る流し取り方式の自動原稿搬送装置において、
前記所定の読取り位置よりも原稿シート搬送方向上流側に配置された原稿シート搬送手段に複数のセグメントからなる原稿シート加熱手段を配置し、
前記加熱手段を制御する制御手段は、原稿シートのサイズと搬送タイミングに応じて、前記原稿シート加熱手段を構成する複数のセグメントを選択的に点灯／消灯すること
を特徴とする自動原稿搬送装置。
【請求項２】
前記制御手段は、前記自動原稿搬送装置に原稿シートの設定が検知されたとき、前記原稿シート加熱手段の全てのセグメントを点灯し、原稿シートのサイズが検知されたとき、原稿シートのサイズ範囲外のセグメントを消灯し、原稿シートの搬送開始の指令に応答して全てのセグメントを消灯し、原稿シート加熱手段を通過するタイミングで原稿シートのサイズ範囲内のセグメントを点灯すること
を特徴とする請求項１に記載の自動原稿搬送装置。
【請求項３】
前記制御手段は、前記自動原稿搬送装置が変倍モードで動作するときは、予め設定された変倍率に対応した原稿シート搬送速度に応じて前記原稿シート加熱手段を構成する複数のセグメントの点灯／消灯を制御すること
を特徴とする請求項１に記載の自動原稿搬送装置。
【請求項４】
前記制御手段は、前記予め設定された変倍率が縮小倍率で原稿シート搬送速度が等倍率よりも速いときは、等倍率のときよりも前記複数のセグメントの点灯時間を長く制御し、前記予め設定された変倍率が拡大倍率で原稿シート搬送速度が等倍率よりも遅いときは、等倍率のときよりも前記複数のセグメントの点灯時間を短く制御すること
を特徴とする請求項３に記載の自動原稿搬送装置。
【請求項５】
前記制御手段は、前記自動原稿搬送装置が紙粉等に基づく画像ノイズ低減モードで動作するときは、前記複数のセグメントの点灯時間は、前記縮小倍率での前記複数のセグメントの点灯時間を同じに設定し、前記拡大倍率での前記原稿シート搬送速度で搬送するよう制御すること
を特徴とする請求項４に記載の自動原稿搬送装置。
【請求項６】
前記自動原稿搬送装置は、搭載される画像形成装置に配置された温湿度センサの情報から低湿度環境にあると判断されたとき、前記原稿シート加熱手段の温度制御を実施すること
を特徴とする請求項１に記載の自動原稿搬送装置。
【発明の詳細な説明】
【技術分野】
【０００１】
この発明は、電子複写機やその複合機などに付設される自動原稿搬送装置に関し、特に自動的に原稿を原稿ガラス上に給送する流し取り方式の自動原稿搬送装置に関する。
【背景技術】
【０００２】
近年、電子複写機やその複合機などの画像形成装置においては、自動的に原稿シートを原稿ガラス上に給送する自動原稿搬送装置（ＡＤＦ）が付設されるようになった。自動原稿搬送装置には、各種のものがあるが、原稿ガラスの下側の画像読取位置にＣＣＤセンサを固定配置し、原稿ガラスの上側に給送される原稿シートを移動しながら読み取る流し取り方式の自動原稿搬送装置が広く使用されている。
【０００３】
このような流し取り方式の自動原稿搬送装置では、原稿シートの搬送中に、原稿シートに付着していた紙粉などが原稿ガラスの上に落下すると、筋状の画像ノイズが発生する原因となるため、原稿シート自体で紙粉を掃き取ったり、読取位置の上流で原稿シートから紙粉を掃き取る等の工夫がなされている。
【０００４】
高湿度環境など原稿シートの含水率が高い状態では、原稿ガラスの上に落下した紙粉は原稿ガラスへの付着力が強いため、紙粉を掃き取り難いという課題がある。これを解決するため、読取位置の上流にヒータを設置し、原稿シートの含水率を低下させるという試みも本出願人により提案されている。
【０００５】
また、画像形成装置の消費電力を抑えるため、コピー開始キー以外のキーが押下られた時点から、コピー開始キーの押下に先行して光学読取装置の光源を点灯するが、コピー開始キー以外のキーの押下からコピー開始キーの押下までに所定時間が経過した場合は光源を消灯するものが提案されている（特許文献１参照）。
【特許文献１】特開２０００−１３５６５号公報
【発明の開示】
【発明が解決しようとする課題】
【０００６】
画像読取装置の原稿ガラスの上に、汚れや紙粉等の異物が付着すると画像を読み取ることができず、読み取った画像に筋状の画像ノイズが入り、画像品質を低下させる結果となる。紙粉等の異物が原稿ガラスの上に落ちたとき、搬送される原稿シートで掃き取る方法が知られているが、この方法では、原稿シートの含水率が高い状態では、原稿シートから落ちる紙粉等も水分を多く含んでいるから、前記した原稿ガラスを加熱する方法でも十分に紙粉等を排除できず、紙粉等が原稿ガラスの上に落ちると搬送される原稿シートで掃き取りにくいという不都合があった。
【０００７】
また、原稿ガラスを加熱する方法では、ヒータに通電中は電力を消費するため、装置全体の省電力化を図るという課題の解決からは不適当である。この発明は上記した課題を解決することを目的とするものである。
【課題を解決するための手段】
【０００８】
この発明は上記課題を解決するもので、請求項１の発明は、原稿ガラスと、原稿ガラスの下側に配置された走査光学系とを備え、前記原稿ガラス上を所定速度で搬送される原稿シート上の画像を所定の読取り位置に設定された前記走査光学系で読み取る流し取り方式の自動原稿搬送装置において、前記所定の読取り位置よりも原稿シート搬送方向上流側に配置された原稿シート搬送手段に複数のセグメントからなる原稿シート加熱手段を配置し、前記加熱手段を制御する制御手段は、原稿シートのサイズと搬送タイミングに応じて、前記原稿シート加熱手段を構成する複数のセグメントを選択的に点灯／消灯することを特徴とする自動原稿搬送装置である。
【０００９】
そして、前記制御手段は、前記自動原稿搬送装置に原稿シートの設定が検知されたとき、前記原稿シート加熱手段の全てのセグメントを点灯し、原稿シートのサイズが検知されたとき、原稿シートのサイズ範囲外のセグメントを消灯し、原稿シートの搬送開始の指令に応答して全てのセグメントを消灯し、原稿シート加熱手段を通過するタイミングで原稿シートのサイズ範囲内のセグメントを点灯するものとする。
【００１０】
また、前記制御手段は、前記自動原稿搬送装置が変倍モードで動作するときは、予め設定された変倍率に対応した原稿シート搬送速度に応じて前記原稿シート加熱手段を構成する複数のセグメントの点灯／消灯を制御する。
【００１１】
また、前記制御手段は、前記予め設定された変倍率が縮小倍率で原稿シート搬送速度が等倍率よりも速いときは、等倍率のときよりも前記複数のセグメントの点灯時間を長く制御し、前記予め設定された変倍率が拡大倍率で原稿シート搬送速度が等倍率よりも遅いときは、等倍率のときよりも前記複数のセグメントの点灯時間を短く制御する。
【００１２】
また、前記制御手段は、前記自動原稿搬送装置が紙粉等に基づく画像ノイズ低減モードで動作するときは、前記複数のセグメントの点灯時間は、前記縮小倍率での前記複数のセグメントの点灯時間を同じに設定し、前記拡大倍率での前記原稿シート搬送速度で搬送するよう制御する。
【００１３】
さらに、前記自動原稿搬送装置は、搭載される画像形成装置に配置された温湿度センサの情報から低湿度環境にあると判断されたとき、前記原稿シート加熱手段の温度制御を実施するものとする。
【発明の効果】
【００１４】
以上説明したとおり、この発明は、流し取り方式の自動原稿搬送装置において、所定の読取り位置よりも原稿シート搬送方向上流側に配置された原稿シート搬送手段に複数のセグメントからなる原稿シート加熱手段を配置し、原稿シートのサイズと搬送タイミングに応じて、前記原稿シート加熱手段を構成する複数のセグメントを選択的に点灯／消灯する制御手段を備えたものである。
【００１５】
この構成により、原稿ガラス上に落下した紙粉等は乾燥状態にあるから、原稿シートの搬送による良好な掃き取り効果が得られるほか、原稿シート加熱手段を構成する複数のセグメントを選択的に点灯／消灯するので、消費電力を節約することができる。
【発明を実施するための最良の形態】
【００１６】
図１は、この発明の実施の形態の自動原稿搬送装置を備えた画像形成装置１の構成の概略を説明する断面図である。画像形成装置１は、画像読取部２０、作像部３０、給紙部４０、転写部５０、定着部６０を備え、画像形成装置１の上面の原稿ガラスの上に自動原稿搬送装置１０が設置されている。
【００１７】
画像形成装置１の構成は、従来の画像形成装置と変わらないので、ここではその構成の説明は省略し、その動作の概略を簡単に説明する。
【００１８】
自動原稿搬送装置１０に原稿シートを設置し、又は原稿ガラスの上に原稿シートを設置する。原稿ガラスの上の原稿シートは画像読取部２０で読み取られ、画像信号として出力される。作像部３０のレーザ装置から出力されるレーザ光は画像読取部２０から出力された画像信号で変調され、作像部３０の感光体の上に投射されて画像潜像が形成される。
【００１９】
感光体の上に形成された画像潜像は作像部３０の現像器に装填されているトナーで現像され、感光体の上にトナー像が形成される。感光体の上のトナー像が転写部５０に到達するタイミングに合わせて給紙部４０から記録紙が給紙され、感光体の上のトナー像は記録紙に転写される。記録紙に転写されたトナー像は定着部６０において定着処理され、排出トレイに排出される。
【００２０】
次に、この発明の特徴部分である自動原稿搬送装置１０について説明する。
【００２１】
図２は、自動原稿搬送装置１０の構成を説明する断面図で、流し取り方式の自動原稿搬送装置である。自動原稿搬送装置１０は、排紙トレイ１２０を備えた本体１００の上面に、給紙トレイ１０１が配置されている。給紙トレイ１０１には支点１０２ａの回りに回動する押上板１０２が配置され、押上板１０２の上に置かれた原稿シートＤはピックアップローラ１０４に向けて押上げられるように構成されている。また、押上板１０２の搬送方向左右には原稿シート規制板１０３が配置され、原稿シートＤの位置を規制し、原稿シートＤのサイズが検出されるように構成されている。
【００２２】
押上板１０２の搬送方向左右先端部附近にはピックアップローラ１０４が配置されており、その搬送方向下流側には、給紙ローラ１０６、捌きローラ１０７が接触配置され、図示しない駆動機構により原稿シートＤを捌きながら給紙するように構成されている。また、ピックアップローラ１０４と給紙ローラ１０６との間には、原稿シートＤの有無を検出する原稿エンプテイセンサ１０５が配置されている。
【００２３】
給紙ローラ１０６と捌きローラ１０７により搬送される原稿シートＤの搬送方向下流側にはレジストローラ対１０９が配置されており、レジストローラ対１０９の直前には原稿検出センサ１０８が配置されており、原稿シートＤの搬送が確認されるように構成されている。
【００２４】
レジストローラ対１０９の搬送方向下流側には、原稿シートＤを加熱するヒータ１１０が配置され、更にその搬送方向下流側には搬送ローラ対１１２、１１３、及び排紙ローラ対１１４が配置されている。ヒータ１１０の構成は後で詳細に説明する。
【００２５】
搬送ローラ対１１２と搬送ローラ対１１３は、原稿ガラス１１５に接近して配置されており、流し取り方式により原稿シートを読取る読取モードの場合は、図示しない制御装置により、画像読取部２０は搬送ローラ対１１２と搬送ローラ対１１３の間の原稿ガラス１１５の下側に固定して設定される。
【００２６】
次に、上記した構成の自動原稿搬送装置１０の動作を説明する。給紙トレイ１０１の押上板１０２の上に積載された原稿シートＤは、原稿エンプテイセンサ１０５で検出される。原稿シートＤのセットが検出されると、原稿シート搬送経路内の全ヒータ１１０が通電（以下、通電を点灯ということがある）され、原稿シート搬送経路内が加熱される。
【００２７】
給紙トレイ１０１の押上板１０２の上に積載された原稿シートＤは原稿シート規制板１０３により規制され、原稿シートＤのサイズが検出され、サイズが確定される。
【００２８】
原稿シートＤのサイズが確定されると、原稿シート搬送経路内に設置されたヒータ１１０のうち、原稿シートＤのサイズに対応した領域以外のヒータの通電を遮断（以下、通電の遮断を消灯ということがある）する。
【００２９】
画像形成装置１のコピーボタンがＯＮされると、図示しない自動原稿搬送装置１０の制御装置から原稿シートＤの給紙開始が指令される。給紙開始動作の開始前にヒータ１１０を全て消灯する。即ち、給紙トレイ１０１の押上板１０２の上に積載された原稿シートＤは、ピックアップローラ１０４に向けて押上げられ、ピックアップローラ１０４の回転により給紙される。給紙された原稿シートＤは、給紙ローラ１０６と捌きローラ１０７とにより１枚づつ捌かれ、レジストローラ対１０９で一旦停止する。
【００３０】
原稿シートＤがレジストローラ対１０９まで搬送されたことが原稿検出センサ１０８により検出、即ち、原稿シートＤの先端がヒータ１１０の先端を通過するタイミングで、前記ヒータ１１０のうち、原稿シートＤのサイズに対応した領域範囲内のヒータのみを点灯する。
【００３１】
レジストローラ対１０９まで搬送された原稿シートＤは、原稿シートＤのサイズに対応した領域範囲内のヒータの点灯により加熱され、原稿シートＤに含まれる水分が放出されて乾燥状態となる。
【００３２】
レジストローラ対１０９の回転開始により搬送された原稿シートＤは、搬送ローラ対１１２と搬送ローラ対１１３により原稿ガラス１１５の上を搬送され、移動する原稿シートＤの画像は原稿ガラス１１５の下側に固定して設定されている画像読取部２０の上を通過するとき読取られる。
【００３３】
原稿シートＤが原稿ガラス１１５の上を搬送されるときに紙粉が落下しても、落下した紙粉は乾燥状態にあるため、原稿ガラス１１５に付着しにくく、搬送される原稿シートＤにより搬送されて原稿シートＤと共に排紙トレイ１２０に排出される。
【００３４】
図３は、自動原稿搬送装置１０の内部に配置されるヒータ１１０の構成を説明する斜視図である。レジストローラ対１０９の搬送方向下流側に配置されたヒータ１１０は、通紙される原稿シートＤの幅に対応して通紙方向と直角方向に３乃至５分割（図３の構成では５分割）され、ヒータ１１０はヒータセグメント１１０ａ、１１０ｂ、１１０ｃ、１１０ｄ、１１０ｅから構成され、レジストローラ部の搬送ガイド板１１１に設置されている。なお、１１０ｇはヒータセグメントの端子を示す。搬送ガイド板１１１は熱を効率良く伝達するため、金属板で構成されている。
【００３５】
自動原稿搬送装置の場合、ヒータ１１０は搬送方向の通紙基準を中心（幅方向の中心）にして左右対称に配置されており、ヒータセグメント１１０ａ〜１１０ｅは原稿シートＤの幅に対応して左右対称に配置されたヒータセグメントを点灯する。例えば、原稿シートＤの幅が中間幅の場合はヒータセグメント１１０ｂ、１１０ｃ、１１０ｄを点灯し、原稿シートＤの幅が最も狭い場合はヒータセグメント１１０ｃのみを点灯し、原稿シートＤの幅が最も広い場合はヒータセグメント１１０ａ〜１１０ｅの全てを点灯する。
【００３６】
自動原稿搬送装置において、原稿シートＤの搬送速度を変更して画像倍率を拡大又は縮小することができる。この場合は、原稿シートＤの搬送速度の変更比率に応じてヒータの点灯時間を設定する。これにより原稿シートＤに与える熱量を一定に調整し、原稿シートＤに含まれる水分含有率を画像倍率が等倍の場合の水分含有率と等しくすることができる。即ち、画像倍率を拡大するときは原稿シートＤの搬送速度を遅くし、ヒータ１１０の点灯時間を短く設定する。又画像倍率を縮小するときは原稿シートＤの搬送速度を速くし、ヒータ１１０の点灯時間を長く設定する。
【００３７】
また、原稿シートＤが原稿ガラス１１５の上を搬送されるとき落下する紙粉による画像ノイズの発生を低減させたいときは、前記した原稿シートＤの搬送速度の変更とヒータ１１０の点灯時間の制御を組み合わせる制御モードを設定する。即ち、原稿シートＤがヒータ１１０で加熱される時間を長くし（原稿シートＤの搬送速度を遅く、ヒータ１１０の点灯時間を長く設定する）、原稿シートＤに与える熱量を増加させ、原稿シートＤに含まれる水分含有率を低下させ、紙粉による画像ノイズの発生を低減させる事が可能となる。
【００３８】
図４は、画像形成装置１の内部の温湿度に基づく自動原稿搬送装置１０のヒータの点灯／消灯制御を説明する概念図である。
【００３９】
画像形成装置１の内部には、転写部５０附近に作像条件を設定するための温湿度センサ７０が設置されている。この温湿度センサ７０で検出された温湿度情報を自動原稿搬送装置１０の図示しない制御装置に入力し、検出された湿度が６５％以上の場合に、自動原稿搬送装置１０のヒータの点灯／消灯制御を行う。検出された湿度が６５％以下の一般的な環境条件にある場合は、原稿シートＤの水分含有率も高くないから、自動原稿搬送装置１０のヒータを点灯させない（消灯）制御とすることで、電力消費を抑えることが可能となる。
【００４０】
図５は、自動原稿搬送装置１０のヒータの点灯／消灯制御を説明するフローチャートである。ヒータの点灯／消灯制御が開始されると、先ず、原稿シートＤを給紙トレイ１０１にセッとする（ステップＰ１）。ヒータ１１０（ヒータセグメント１１０ａ〜１１０ｅ）の全てを点灯し（ステップＰ２）、原稿シートＤのサイズを確定する（ステップＰ３）。
【００４１】
原稿シートＤのサイズに対応した領域以外のヒータを消灯し（ステップＰ４）、コピーボタンをＯＮとする（ステップＰ５）。原稿シートＤの給紙開始が指令され、給紙開始動作の開始前にヒータ１１０の全てを消灯する（ヒータセグメント１１０ａ〜１１０ｅの全てを消灯する）（ステップＰ６）。
【００４２】
原稿シートＤの先端がヒータ１１０の先端を通過するタイミングで、原稿シートＤのサイズに対応した領域範囲内のヒータのみを点灯する（ステップＰ７）。
【００４３】
以上の構成により、この発明の自動原稿搬送装置では、原稿シートのサイズに対応した領域範囲内のヒータのみの点灯により、原稿シートＤの水分含有率を調整して原稿ガラス上に落下した紙粉等の掃き取り効果を高めることができるほか、消費電力を節約することができる。
【産業上の利用可能性】
【００４４】
この発明は、電子複写機やその複合機などに付設される流し取り方式の自動原稿搬送装置に関するもので、原稿ガラス上に落下した紙粉等の良好な掃き取り効果が得られるほか、消費電力を節約することができる構成を備えている。
【図面の簡単な説明】
【００４５】
【図１】この発明の実施の形態の自動原稿搬送装置を備えた画像形成装置の構成の概略を説明する断面図。
【図２】自動原稿搬送装置の構成を説明する断面図。
【図３】自動原稿搬送装置の内部に配置されるヒータの構成を説明する斜視図。
【図４】画像形成装置の内部の温湿度に基づく自動原稿搬送装置のヒータの点灯／消灯制御を説明する概念図。
【図５】自動原稿搬送装置のヒータの点灯／消灯制御を説明するフローチャート。
【符号の説明】
【００４６】
１  画像形成装置
１０  自動原稿搬送装置
２０  画像読取部
３０  作像部
４０  給紙部
５０  転写部
６０  定着部
７０  温湿度センサ
１００  本体
１０１  給紙トレイ
１０２  押上板
１０２ａ  支点
１０３  原稿シート規制板
１０４  ピックアップローラ
１０５  原稿エンプテイセンサ
１０６  給紙ローラ
１０７  捌きローラ
１０８  原稿検出センサ
１０９  レジストローラ対
１１０  ヒータ
１１０ａ、１１０ｂ、１１０ｃ、１１０ｄ、１１０ｅ  ヒータセグメント
１１０ｇ  ヒータセグメントの端子
１１１  搬送ガイド板
１１２、１１３  搬送ローラ対
１１４  排紙ローラ対
１１５  原稿ガラス
１２０  排紙トレイ
【図１】
2009194803.tif 000003
【図２】
2009194803.tif 000004
【図３】
2009194803.tif 000005
【図４】
2009194803.tif 000006
【図５】
2009194803.tif 000007